(57)【特許請求の範囲】
【請求項１】
高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、抵抗電圧検出手段と生体電圧検出手段の信号を差動増幅する差動増幅手段と、電極間を短絡するスイッチを備えた生体インピ−ダンス測定装置。
【請求項２】
電流検出抵抗を短絡するスイッチを備えた請求項１記載の生体インピ−ダンス測定装置。
【請求項３】
高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、電流検出抵抗と電極間との電圧を検出する電圧検出手段と、電流検出抵抗を短絡するスイッチを備えた生体インピ−ダンス測定装置。
【請求項４】
高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、電流検出抵抗と電極間との電圧を検出する電圧検出手段と、電極間を短絡するスイッチを備えた生体インピ−ダンス測定装置。
【請求項５】
高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、抵抗値が電流検出抵抗と異なる抵抗と、この抵抗を前記電流検出抵抗に並列に接続するスイッチを備えた生体インピ−ダンス測定装置。
【請求項６】
生体電圧検出手段の信号により電極が生体に接触したことを検知する電極接触検知手段を備えた請求項１〜請求項５のいずれか１項に記載の生体インピ−ダンス測定装置。
【発明の詳細な説明】
【０００１】
【発明の属する技術分野】
本発明は、生体に高周波電流を流して生体のインピ−ダンスを測定し、生体のインピ−ダンスと、身体や体重等の身体条件から体内の体脂肪量を算出する体脂肪量計等の生体のインピ−ダンスを測定する装置に関するものである。
【０００２】
【従来の技術】
一般に体内の脂肪量を測定する方法としては、両手間など身体の末端間のインピ−ダンスを４端子法で生体インピ−ダンスを測定し、身長や体重など身体の情報から体内脂肪量を算出する方法が提案されている。
【０００３】
図８は、従来の生体インピ−ダンス測定装置の構成を示すブロック図である。生体インピ−ダンスの測定は、５０ｋＨｚの正弦波を発信器１から発生させ、この正弦波の電圧を電圧−電流変換手段２によって定電流化する。この定電流を生体に接触する電極３ａ、３ｂ間から生体に電流を流す。そして、前記電極３ａ、３ｂ間の電圧を差動増幅器４で取りだし、フィルタ回路などで波形を整形して整流器５で直流変換した後，ＡＤ変換器６でアナログ値をＡＤ変換してデジタル数値としてマイクロコンピュ−タからなる演算部７に伝達される。この演算部７は電圧信号から生体インピ−ダンスを算出している。
【０００４】
生体インピ−ダンスＺは生体電流Ｉと電極電圧Ｖとの関係において、Ｚ＝Ｖ／Ｉが成り立ち、電流Ｉが一定の時に電極電圧Ｖを検出することにより、生体インピ−ダンスＺを求めることができる。前記生体インピ−ダンスＺと身長や体重等の身体情報から体内の脂肪量を算出している。
【０００５】
【発明が解決しようとする課題】
前記従来の構成の生体インピ−ダンス測定装置は、定電流源が温度等の環境により変化した場合、この定電流の変化が生体インピ−ダンスの測定誤差の要因となっている。前記定電流源を定常値にするために、外部環境変動の低減や定電流源の精度向上等に多大な労力を要するものであった。
【０００６】
本発明は前記従来の課題を解決するもので、測定時の生体電流を検出して温度等の環境に影響されない精度の高い測定ができる生体インピ−ダンス測定装置を提供するものである。
【０００７】
【課題を解決するための手段】
本発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段を備えたものである。
【０００８】
上記手段において、電流検出抵抗で生体に流れる電流を検出して電流値を求めるので、温度等の外部環境に影響されない精度の高い測定をすることができる。
【０００９】
【発明の実施の形態】
本発明の請求項１に記載の発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、抵抗電圧検出手段と生体電圧検出手段の信号を差動増幅する差動増幅手段と、電極間を短絡するスイッチを備えたものである。
【００１０】
上記形態において、高周波電圧発生手段の電圧を電圧−電流変換手段で定電流化する。この定電流が電流検出抵抗と電極を介して生体に流れ、この電流によって発生した電流検出抵抗の電圧と電極間の電圧から演算手段は生体インピ−ダンスを算出する。従って、生体インピ−ダンスを算出するのに、常に電流検出抵抗の抵抗から生体に流れる電流を検出して行っているので、生体インピ−ダンス測定の精度を高められる。また、スイッチを閉じている場合は定電流が流れることにより発生した電流検出抵抗だけの電圧Ｖｏ１と、スイッチを開いている場合は定電流が電流検出抵抗と電極を介して生体に流れることにより発生した電圧Ｖｏ２との差を差動増幅器で検出し、この検出信号から演算手段は生体インピ−ダンスを演算する。従って、生体インピ−ダンスを演算するのに、常に測定時の電流Ｉ、前記電圧Ｖｏ１、電圧Ｖｏ２から生体に流れる電流を検出して行っているので、生体インピ−ダンス測定の精度を高められる。
【００１１】
また、請求項２に記載した発明は、請求項１記載において電流検出抵抗を短絡するスイッチを備えたものである。
【００１２】
上記形態において、スイッチを閉じている場合は定電流が電極を介して流れることにより発生した生体の電極間の電圧Ｖｏ１と、スイッチを開いている場合は電流検出抵抗と電極を介して生体に定電流が流れることにより、発生した電圧Ｖｏ２との差を差動増幅器で検出し、この検出信号から演算手段は生体インピ−ダンスを演算する。従って、生体インピ−ダンスを演算するのに、常に測定時の電流Ｉ、前記電圧Ｖｏ１、電圧Ｖｏ２から生体に流れる電流を検出して行っているので、生体インピ−ダンス測定の精度を高められる。
【００１３】
また、請求項３に記載した発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、電流検出抵抗と電極間との電圧を検出する電圧検出手段と、電流検出抵抗を短絡するスイッチを備えたものである。
【００１４】
上記形態において、スイッチを閉じている場合は、定電流が電極を介して生体に流れることによって発生した生体の電極間の電圧Ｖｏ１と、スイッチを開いている場合は定電流が電流検出抵抗と電極を介して生体に流れることによって発生した電圧の和の電圧Ｖｏ１とから演算手段は生体インピ−ダンスを演算する。従って、生体インピ−ダンスを演算するのに、常に測定時の電流Ｉ、前記電圧Ｖｏ１、電圧Ｖｏ２から生体に流れる電流を検出して行っているので、生体インピ−ダンス測定の精度を高められる。
【００１５】
また、請求項４に記載の発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、電流検出抵抗と電極間との電圧を検出する電圧検出手段と、電極間を短絡するスイッチを備えたものである。
【００１６】
上記形態において、スイッチを閉じている場合は定電流が流れることにより発生した電流検出抵抗だけの電圧Ｖｏ１と、スイッチが開いている場合は定電流が流れることによって発生した電流検出抵抗と生体の電極間との電圧の和の電圧Ｖｏ２から演算手段は生体インピ−ダンスを演算する。従って、生体インピ−ダンスを演算するのに、常に測定時の電流Ｉ、前記電圧Ｖｏ１、電圧Ｖｏ２から生体に流れる電流を検出して行っているので、生体インピ−ダンス測定の精度を高められる。
【００１７】
また、請求項５に記載した発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、抵抗値が電流検出抵抗と異なる抵抗と、この抵抗を前記電流検出抵抗に並列に接続するスイッチを備えたものである。
【００１８】
上記形態において、スイッチを閉じている場合は、定電流が電流検出抵抗、抵抗と電極間に流れることによって発生した電流検出抵抗と抵抗の並列回路の電圧Ｖｏ２と、スイッチを開いている場合は定電流が電流検出抵抗だけの電圧Ｖｏ１の差電圧と、電極を介して定電流が流れることより発生した生体の電極間の電圧から演算手段は生体インピ−ダンスを演算する。従って、生体インピ−ダンスを演算するのに、常に測定時の電流Ｉ、前記電圧Ｖｏ１、電圧Ｖｏ２から生体に流れる電流を検出して行っているので、生体インピ−ダンス測定の精度を高められる。
【００１９】
また、請求項６に記載した発明は、請求項１〜請求項５のいずれか１項に記載の生体電圧検出手段の信号により電極が生体に接触したことを検知する電極接触検知手段を備えたものである。
【００２０】
上記形態において、電極接触検知手段は生体電圧検出手段から信号を得て生体への電極の接触度を検知する。従って、測定回数を繰り返すことにより生体インピ−ダンス測定の精度を高められる。
【００２１】
【実施例】
以下本発明生体インピ−ダンス測定装置につき、図１〜図７を参照して説明する。
【００２２】
（参考例１）
図１は、生体インピ−ダンス測定装置の参考例１の発明を示すブロック図である。この生体インピ−ダンス測定装置は、５０ｋＨｚの正弦波を発生させる高周波電圧発生手段１０と、この高周波電圧発生手段１０の電圧を電流に変換する電圧−電流変換手段１１と、生体に接触する電極１２ａ，１２ｂと、この電極１２ａ，１２ｂに流れる電流を検出する電流検出抵抗１３と、この電流検出抵抗１３の電圧を検出する抵抗電圧検出手段１４と、前記電極１２ａ，１２ｂ間の生体の電圧を検出する生体電圧検出手段１５と、この生体電圧検出手段１５と前記抵抗電圧検出手段１４の信号から生体のインピ−ダンスを演算する演算手段１５を備えたものである。
【００２３】
上記参考例１において、高周波電圧発生手段１０の電圧を電圧−電流変換手段１１が定電流化する。この電流は、生体に接触している電極１２ａ，１２ｂ間に、前記電流を検出するための電流検出抵抗１３を介して流れる。電極１２ａ、１２ｂは、身体の左手と右手に接触して両手間に電流が流れる。この電流が流れることにより発生する生体の電極１２ａ，１２ｂ間の電圧を、生体電圧検出手段１５が検出する。また同様にして電流検出抵抗１３間に発生する電圧を、抵抗電圧検出手段１４が検出する。この検出した両電圧を読み込んで演算手段１６は生体インピ−ダンスＺを演算するのである。すなわち、抵抗電圧検出手段１４の検出した電圧Ｖｒと、電流検出抵抗１３の抵抗値Ｒから生体に流れる電流Ｉを常に求める。この電流Ｉを用いて生体電圧Ｖｚから生体インピ−ダンスを求めることができる。
【００２４】
特に本参考例１では、生体インピ−ダンス測定時の電流Ｉを常に検出して生体インピ−ダンスを演算するので、精度の高い生体インピ−ダンスの測定装置を実現できる。
【００２５】
なお、参考例１では、高周波電圧発生手段１０の周波数に５０ｋＨｚを用いたが、１０ｋＨｚから５００ｋＨｚ等の周波数でも同様の効果が得られ、単一周波数に限られるものではない。
【００２６】
（実施例１）
図２は、生体インピ−ダンス測定装置の実施例１を示すブロック図である。この生体インピ−ダンス測定装置は、電極間を短絡するスイッチと演算手段の入力側に差動増幅器を設けた点が参考例１と異なるだけで、それ以外の同一構成および作用効果を奏する部分には同一符号を付して詳細な説明を省略し、異なる点を中心に説明する。
【００２７】
１７は演算手段１６の入力側に接続した差動増幅器で、抵抗電圧検出手段１４と生体電圧検出手段１５との信号を差動増幅する。１８は電極１２ａ、１２ｂ間を短絡するスイッチである。
【００２８】
上記実施例１において、スイッチ１８を閉じ場合は、電圧−電流変換手段１１からの定電流は電流検出抵抗１３、電極１２ａ、スイッチ１８、電極１２ｂと流れ、差動増幅器１７への電圧Ｖｏ１は抵抗電圧検出手段１４の検出した電圧Ｖｒが出力される。この電圧Ｖｏ１より生体に流れる電流Ｉを演算して求める。次に、スイッチ１８を開いた場合、定電流は電流検出抵抗１３、電極１２ａ、生体、電極１２ｂと流れ、差動増幅器１７への電圧Ｖｏ２は、生体電圧検出手段１５の検出した電圧Ｖｚから抵抗電圧検出手段１４の検出した電圧Ｖｒとの差の電圧が出力される。そして、抵抗電圧検出手段１４と生体電圧検出手段１５から出力された電圧による差動増幅器１７からの信号で演算手段１６は生体インピ−ダンスＺを求める。すなわち、前記電圧Ｖｏ２から電圧Ｖｏ１を引き算して生体電圧Ｖｚを求める。この生体電圧Ｖｚと前記電流Ｉを用いて生体インピ−ダンスを求めることができる。
【００２９】
以上のように実施例１によれば、常に前記電圧Ｖｏ２、電圧Ｖｏ１、測定時の電流Ｉから生体インピ−ダンスＺを決定するようにしているため、定電流の変動の影響を低減でき、測定精度の高い生体インピ−ダンス装置を実現できる。
【００３０】
（実施例２）
図３は、生体インピ−ダンス測定装置の実施例２を示すブロック図である。この生体インピ−ダンス測定装置は、実施例１の電極間を短絡するスイッチを、電流検出抵抗を短絡するスイッチに変えた点が実施例１と異なるだけで、それ以外の同一構成および作用効果を奏する部分には同一符号を付して詳細な説明を省略し、異なる点を中心に説明する。１９は電流検出抵抗１３を短絡するスイッチである。
【００３１】
上記実施例２において、スイッチ１９を閉じた場合は、電圧−電流変換手段１１からの定電流は電流検出抵抗１３をバイパスしてスイッチ１９、電極１２ａ、生体、電極１２ｂと流れ、差動増幅器１７への電圧Ｖｏ１は生体電圧検出手段１５の検出した電圧Ｖｚが出力される。次に、スイッチ１９を開いた場合は、定電流は電流検出抵抗１３、電極１２ａ、生体、電極１２ｂと流れ、差動増幅器１７への電圧Ｖｏ２は、生体電圧検出手段１５の検出した電圧Ｖｚから抵抗電圧検出手段１４の検出した電圧Ｖｒとの差の電圧が出力される。そして、抵抗電圧検出手段１４と生体電圧検出手段１５から出力された電圧による差動増幅器１７からの信号により演算手段１６は生体インピ−ダンスＺを求める。すなわち、電圧Ｖｏ２から電圧Ｖｏ１を引き算して抵抗電圧Ｖｒが得られ、この電圧Ｖｒより生体に流れる電流Ｉを演算して求めている。そして、前記電圧Ｖｏ１である生体電圧Ｖｚと前記電流Ｉを用いて生体インピ−ダンスＺを求めることができる。
【００３２】
以上のように実施例２によれば、常に前記電圧Ｖｏ２、電圧Ｖｏ１、測定時の電流Ｉから生体インピ−ダンスＺを決定するようにしているため、定電流の変動の影響を低減でき、測定精度の高い生体インピ−ダンス装置を実現できる。
【００３３】
（実施例３）
図４は、生体インピ−ダンス測定装置の実施例３を示すブロック図である。この生体インピ−ダンス測定装置は、電流検出抵抗と電極間の電圧を検出する電圧検出手段と、電流検出抵抗を短絡するスイッチを設けた点が参考例１と異なるだけで、それ以外の同一構成および作用効果を奏する部分には同一符号を付して詳細な説明を省略し、異なる点を中心に説明する。
【００３４】
２０は電流検出抵抗１３と電極１２ａ，１２ｂの直列回路の電圧を検出する電圧検出手段で、２１は電流検出抵抗１３を短絡するスイッチである。
【００３５】
上記実施例３において、スイッチ１９を閉じた場合は、電圧−電流変換手段１１からの定電流は電流検出抵抗１３をバイパスしてスイッチ２１、電極１２ａ、生体、電極１２ｂと流れ、電圧検出手段２０への電圧Ｖｏ１は、生体間の電圧Ｖｚが出力される。次に、スイッチ２１を開いた場合は、定電流は電流検出抵抗１３、電極１２ａ、生体、電極１２ｂと流れ、電圧検出手段２０への電圧Ｖｏ２は、生体間の電圧Ｖｚと電流検出抵抗１３の電圧Ｖｒとの和の電圧が出力される。そして、電圧検出手段２０を介し前記両方の出力電圧を受けた演算手段１６は生体インピ−ダンスＺを求める。すなわち、前記電圧Ｖｏ２から電圧Ｖｏ１を引くことにより、電流検出抵抗１３の電圧Ｖｒが得られ、この電圧Ｖｒより生体に流れる電流Ｉを演算して求めている。そして、前記電圧Ｖｏ１である生体電圧Ｖｚと前記電流Ｉを用いて生体インピ−ダンスＺを求めることができる。
【００３６】
以上のように実施例３によれば、常に前記電圧Ｖｏ１、電圧Ｖｏ２、測定時の電流Ｉから生体インピ−ダンスＺを決定するようにしているため、定電流の変動の影響を低減でき、測定精度の高い生体インピ−ダンス装置を実現できる。
【００３７】
（実施例４）
図５は、生体インピ−ダンス測定装置の実施例４を示すブロック図である。この生体インピ−ダンス測定装置は、実施例３の電流検出抵抗を短絡するスイッチを、電極間を短絡するスイッチに変えた点が実施例３と異なるだけで、それ以外の同一構成および作用効果を奏する部分には同一符号を付して詳細な説明を省略し、異なる点を中心に説明する。２２は電極１２ａ、１２ｂ間を短絡するスイッチである。
【００３８】
上記実施例４において、スイッチ２２を閉じた場合は、電圧−電流変換手段１１からの定電流は電流検出抵抗１３、電極１２ａ、スイッチ２２、電極１２ｂと流れ、電圧検出手段２０への電圧Ｖｏ１は、電流検出抵抗１３の電圧Ｖｒが出力される。この電圧Ｖｏ１より生体に流れる電流Ｉを演算して求める。次に、スイッチ２２を開いた場合は、定電流は電流検出抵抗１３、電極１２ａ、生体、電極１２ｂと流れ、電圧検出手段２０への電圧Ｖｏ２は、生体間の電圧Ｖｚと電流検出抵抗１３の電圧Ｖｒとの和の電圧が出力される。そして、前記両方の出力電圧を受けた電圧検出手段２０からの信号で演算手段１６は生体インピ−ダンスＺを求める。すなわち、前記電圧Ｖｏ２から電圧Ｖｏ１を引くことにより、生体電圧Ｖｚが得られ、この電圧Ｖｚと前記電流Ｉを用いて生体インピ−ダンスＺを求めることができる。
【００３９】
以上のように実施例４によれば、常に前記電圧Ｖｏ１、電圧Ｖｏ２、測定時の電流Ｉから生体インピ−ダンスＺを決定するようにしているため、定電流の変動の影響を低減でき、測定精度の高い生体インピ−ダンス装置を実現できる。
【００４０】
（実施例５）
図６は、生体インピ−ダンス測定装置の実施例５を示すブロック図である。この生体インピ−ダンス測定装置は、電流検出抵抗と並列に、抵抗とスイッチの直列回路を設けた点が参考例１と異なるだけで、それ以外の同一構成および作用効果を奏する部分には同一符号を付して詳細な説明を省略し、異なる点を中心に説明する。
【００４１】
２３は抵抗値が電流検出抵抗１３と異なる抵抗で、直列に接続したスイッチ２４を介して電流検出抵抗１３と並列結線している。
【００４２】
上記実施例５において、スイッチ２４を開いた場合は、電圧−電流変換手段１１からの定電流は電流検出抵抗１３、電極１２ａ、生体、電極１２ｂと流れ、抵抗電圧検出手段１４への電圧Ｖｏ１は、電流検出抵抗１３の電圧Ｖｒ１が出力される。また、スイッチ２４を閉じた場合は、定電流が電流検出抵抗１３と抵抗２３に分流し、更に電極１２ａ、生体、電極１２ｂと流れ、抵抗電圧検出手段１４への電圧Ｖｏ２は、電流検出抵抗１３と抵抗２３の並列抵抗による電圧が出力される。この前記両方の電圧Ｖｏ１とＶｏ２を受けた抵抗電圧検出手段１４の信号で演算手段１６は生体に流れる電流Ｉを演算して求めている。
【００４３】
一方、生体電圧検出手段１５には、生体電圧Ｖｚが出力される。この生体電圧Ｖｚと前記電流Ｉを用いて演算手段１６は生体インピ−ダンスＺを求めることができる。
【００４４】
以上のように実施例５によれば、２値の電流検出抵抗の電圧から測定時の電流Ｉの相関式を算出して、生体インピ−ダンスＺを決定するようにしているため、定電流の変動の影響を低減でき、測定精度の高い生体インピ−ダンス装置を実現できる。
【００４５】
（実施例６）
図７は、生体インピ−ダンス測定装置の実施例６を示すブロック図である。この生体インピ−ダンス測定装置は、電極接触検知手段を設けた点が実施例１と異なるだけで、それ以外の同一構成および作用効果を奏する部分には同一符号を付して詳細な説明を省略し、異なる点を中心に説明する。
【００４６】
２５は生体電圧検知手段１５の信号により電極１２ａ、１２ｂが生体に接触したことを検知する電極接触検知手段である。
【００４７】
上記実施例６において、電極１２ａ、１２ｂを生体に接触させると、生体電圧検知手段１５が前記電極間の電圧を検出し、この電圧レベルで電極接触検知手段２５が電極１２ａ，１２ｂの接触度を判定する。すなわち、電極１２ａ，１２ｂが生体に接触不十分の場合、生体と電極１２ａ，１２ｂ間に接触抵抗が発生し、生体電圧検知手段１５の出力電圧は高くなる。また、電極１２ａ，１２ｂが生体に確実に接触した場合、所定の生体インピ−ダンスによる電圧値となる。つまり、電極接触検知手段２５が、所定の電圧範囲にあることを判定して、生体インピ−ダンスの測定を開始することができる。そして、設定の回数繰り返すことによって複数の測定結果が得られ、これを処理することによりデ−タの精度を向上できるものである。
【００４８】
なお、上記実施例６において、電極の生体との接触を検知するのに電極接触検知手段２５は、電極１２ａ、１２ｂ間の生体電圧検知手段１５の信号を用いているが、電流検出抵抗１３の抵抗電圧検知手段１４の信号を用いても同様の効果が得られるものである。
【００４９】
【発明の効果】
以上のように本発明の請求項１に記載の発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、抵抗電圧検出手段と生体電圧検出手段の信号を差動増幅する差動増幅手段と、電極間を短絡するスイッチを備えたもので、スイッチの開閉による生体に流れる電流を電流検出抵抗により検出して生体インピ−ダンスＺを演算しているため、定電流の変動の影響を低減でき、測定精度の高い装置を実現できる。
【００５０】
また、請求項２に記載した発明は、請求項１記載において電流検出抵抗を短絡するスイッチを備えたもので、スイッチの開閉による生体に流れる電流を電流検出抵抗により検出して生体インピ−ダンスＺを演算しているため、定電流の変動の影響を低減でき、測定精度の高い装置を実現できる。
【００５１】
また、請求項３に記載した発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、電流検出抵抗と電極間との電圧を検出する電圧検出手段と、電流検出抵抗を短絡するスイッチを備えたもので、スイッチの開閉による生体に流れる電流を電流検出抵抗により検出して生体インピ−ダンスＺを演算しているため、定電流の変動の影響を低減でき、測定精度の高い装置を実現できる。
【００５２】
また、請求項４に記載の発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、電流検出抵抗と電極間との電圧を検出する電圧検出手段と、電極間を短絡するスイッチを備えたもので、スイッチの開閉による生体に流れる電流を電流検出抵抗により検出して生体インピ−ダンスＺを演算しているため、定電流の変動の影響を低減でき、測定精度の高い装置を実現できる。
【００５３】
また、請求項５に記載した発明は、高周波電圧発生手段と、この高周波電圧発生手段の電圧を電流に変換する電圧−電流変換手段と、生体に接触する電極と、この電極に流れる電流を検出する電流検出抵抗と、この電流検出抵抗の電圧を検出する抵抗電圧検出手段と、前記電極間の生体の電圧を検出する生体電圧検出手段と、この生体電圧検出手段と前記抵抗電圧検出手段の信号から生体のインピ−ダンスを算出する演算手段と、抵抗値が電流検出抵抗と異なる抵抗と、この抵抗を前記電流検出抵抗に並列に接続するスイッチを備えたもので、スイッチの開閉による生体に流れる電流を電流検出抵抗により検出して生体インピ−ダンスＺを演算しているため、定電流の変動の影響を低減でき、測定精度の高い装置を実現できる。
【００５４】
また、請求項６に記載した発明は、請求項１〜請求項５のいずれか１項に記載の生体電圧検出手段の信号により電極が生体に接触したことを検知する電極接触検知手段を備えたもので、生体への電極の接触度を検知して自動的に測定を開始できる。
【図面の簡単な説明】
【図１】  本発明の参考例１における生体インピ−ダンス測定装置を示すブロック図
【図２】  同実施例１における生体インピ−ダンス測定装置を示すブロック図
【図３】  同実施例２における生体インピ−ダンス測定装置を示すブロック図
【図４】  同実施例３における生体インピ−ダンス測定装置を示すブロック図
【図５】  同実施例４における生体インピ−ダンス測定装置を示すブロック図
【図６】  同実施例５における生体インピ−ダンス測定装置を示すブロック図
【図７】  同実施例６における生体インピ−ダンス測定装置を示すブロック図
【図８】  従来例における生体インピ−ダンス測定装置を示すブロック図
【符号の説明】
１０    高周波電圧発生手段
１１    電圧−電流変換手段
１２ａ  電極
１２ｂ  電極
１３    電流検出抵抗
１４    抵抗電圧検出手段
１５    生体電圧検出手段
１６    演算手段
１７    差動増幅器
１８    スイッチ
１９    スイッチ
２０    電圧検出手段
２１    スイッチ
２２    スイッチ
２３    抵抗
２４    スイッチ
２５    電極接触検知手段
【図１】
0004161460.tif 000002
【図２】
0004161460.tif 000003
【図３】
0004161460.tif 000004
【図４】
0004161460.tif 000005
【図５】
0004161460.tif 000006
【図６】
0004161460.tif 000007
【図７】
0004161460.tif 000008
【図８】
0004161460.tif 000009